(57)【要約】【課題】ＡＧＣの温度補正において、送信出力として指定された電力がいくつであっても、精度の高い温度補正を行なう。【解決手段】ＡＧＣアンプ２１の利得をその指定された出力電力に応じたＤＡＣコードから変換されるＡＧＣ電圧により制御するＡＧＣ回路を含むベースバンド処理部１０に対し、ＤＡＣコード値を温度センサ４０で得られる温度データに基づいて補正するＡＧＣの温度補正装置は、温度補正テーブル７３及び電力変化量テーブル７２を保持するメモリ７０と、温度補正テーブル７３を参照して温度データから温度補正量を決定し、電力変化量テーブル７２を参照して出力電力から１ＤＡＣコード当たりの電力変化量を決定し、温度補正量と１ＤＡＣコード当たりの電力変化量とに基づいて出力電力毎の温度補正量を算出し、温度補正用ＤＡＣコードとしてベースバンド処理部１０に供給する演算回路６０とを備える。【選択図】  図１
2004336359.tif 000002
【特許請求の範囲】
【請求項１】
ＡＧＣアンプの利得をその指定された出力電力に応じたＤＡＣコードからＤ／Ａ変換される制御電圧により制御するＡＧＣ回路における該ＤＡＣコードの値を、温度センサで得られる温度データに基づいて補正するＡＧＣの温度補正方法において、
前記温度データから前記ＤＡＣコードに対する温度補正量に関するパラメータに変換するための第１の変換テーブルと、前記出力電力から１ＤＡＣコード当たりの電力変化量に関するパラメータに変換するための第２の変換テーブルとを予め保持するステップと、
前記第１の変換テーブルを参照して前記温度データから前記温度補正量に関するパラメータを決定するステップと、
前記第２の変換テーブルを参照して前記出力電力から前記１ＤＡＣコード当たりの電力変化量に関するパラメータを決定するステップと、
決定された前記温度補正量に関するパラメータと前記１ＤＡＣコード当たりの電力変化量に関するパラメータとに基づいて前記出力電力毎の温度補正量を算出するステップと、
算出された前記出力電力毎の温度補正量を該出力電力に応じたＤＡＣコードの温度補正用ＤＡＣコードとして前記ＡＧＣ回路に供給するステップとを有することを特徴とするＡＧＣの温度補正方法。
【請求項２】
前記温度補正量に関するパラメータは、温度毎の出力補正量であり、
前記１ＤＡＣコード当たりの電力変化量に関するパラメータは、前記出力電力毎のＤＡＣコードの変化量であり、
前記出力電力毎の温度補正量を算出するステップは、前記温度毎の出力補正量と前記出力電力毎のＤＡＣコードの変化量とを用いて該出力電力毎の温度補正量を計算することを特徴とする請求項１記載のＡＧＣの温度補正方法。
【請求項３】
前記温度補正量に関するパラメータは、温度毎のＤＡＣコードであり、
前記１ＤＡＣコード当たりの電力変化量に関するパラメータは、電力オフセット補正量に対応するＤＡＣコードであり、
前記出力電力毎の温度補正量を算出するステップは、前記電力オフセット補正量に対応するＤＡＣコードと前記温度毎のＤＡＣコードとを用いて該出力電力毎の温度補正量を計算することを特徴とする請求項１記載のＡＧＣの温度補正方法。
【請求項４】
ＡＧＣアンプの利得をその指定された出力電力に応じたＤＡＣコードから変換される制御電圧により制御するＡＧＣ回路における該ＤＡＣコードの値を、温度センサで得られる温度データに基づいて補正するＡＧＣの温度補正装置において、
前記温度データから前記ＤＡＣコードに対する温度補正量に関するパラメータに変換するための第１の変換テーブルと、
前記出力電力から１ＤＡＣコード当たりの電力変化量に関するパラメータに変換するための第２の変換テーブルと、
前記第１の変換テーブルを参照して前記温度データから前記温度補正量に関するパラメータを決定し、前記第２の変換テーブルを参照して前記出力電力から前記１ＤＡＣコード当たりのの電力変化量に関するパラメータを決定し、決定された前記温度補正量に関するパラメータと前記１ＤＡＣコード当たりの電力変化量に関するパラメータとに基づいて前記出力電力毎の温度補正量を算出し、該出力電力毎の温度補正量を前記出力電力に応じたＤＡＣコードの温度補正用ＤＡＣコードとして前記ＡＧＣ回路に供給する演算手段とを有することを特徴とするＡＧＣの温度補正装置。
【請求項５】
前記温度補正量に関するパラメータは、温度毎の出力補正量であり、
前記１ＤＡＣコード当たりの電力変化量に関するパラメータは、前記出力電力毎のＤＡＣコードの変化量であり、
前記演算手段は、前記温度毎の出力補正量と前記出力電力毎のＤＡＣコードの変化量とを用いて該出力電力毎の温度補正量を計算することを特徴とする請求項４記載のＡＧＣの温度補正装置。
【請求項６】
前記温度補正量に関するパラメータは、温度毎のＤＡＣコードであり、
前記１ＤＡＣコード当たりの電力変化量に関するパラメータは、電力オフセット補正量に対応するＤＡＣコードであり、
前記演算手段は、前記電力オフセット補正量に対応するＤＡＣコードと前記温度毎のＤＡＣコードとを用いて該出力電力毎の温度補正量を計算することを特徴とする請求項４記載のＡＧＣの温度補正装置。
【請求項７】
請求項４乃至６のいずれか１項に記載のＡＧＣの温度補正装置と、
前記ＡＧＣ回路を有し且つ通信データのベースバンド信号を生成するベースバンド処理部と、
前記ＡＧＣアンプを有し且つ該ＡＧＣアンプを介し前記ベースバンド信号で変調された送信信号を前記出力電力で送信する送信部とを有することを特徴とする通信端末。
【請求項８】
請求項４乃至６のいずれか１項に記載のＡＧＣの温度補正装置と、
前記ＡＧＣ回路を有し且つ通信データのベースバンド信号を生成するベースバンド処理部と、
前記ＡＧＣアンプを有し且つ該ＡＧＣアンプを介し前記ベースバンド信号で変調された送信信号を前記出力電力で送信する送信部とを有することを特徴とする携帯電話機。
【発明の詳細な説明】
【０００１】
【発明の属する技術分野】
本発明は、ＡＧＣ（Ａｕｔｏｍａｔｉｃ  Ｇａｉｎ  Ｃｏｎｔｒｏｌ：自動利得制御）の温度補正方法、その温度補正装置、これを用いた通信端末、及び携帯電話機に関する。
【０００２】
【従来の技術】
一般に、携帯電話機などの通信端末には、送信すべきデータのベースバンド信号により変調された搬送波の高周波信号（ＲＦ信号）を指定された送信出力（指定電力）で送信するため、送信機内にＡＧＣアンプが設けられる。このＡＧＣアンプは、温度に応じて利得特性が変化するため、これを補正する必要がある。以下、このようなＡＧＣ温度補正方法の従来例を図６〜図８を参照して説明する。
【０００３】
図６は、上記ＡＧＣ温度補正方法を用いた送信機の回路構成の主要部を示すものである。図６に示す送信機には、送信すべき音声信号等の符号化されたデータや各種制御信号等の通信データのベースバンド信号を生成するベースバンド処理部１０１や、該ベースバンド信号により搬送波の中間周波信号（ＩＦ信号）を変調し、該ＩＦ信号をＲＦ信号に変換し、該ＲＦ信号を所定の送信出力でアンテナを介し無線電波として送信する送信部（図示しない）等が設けられる。
【０００４】
このうち、送信部には、ベースバンド処理部１０１からの制御電圧（ＡＧＣ電圧）に基づいてＲＦ信号をその指定電力（送信出力）レベルに増幅するＡＧＣアンプ１０２が含まれる。また、ベースバンド処理部１０１には、後述する指定電力に応じたＡＧＣコードとその温度補正コードとから成るＤＡＣ（Ｄｉｇｉｔａｌ  ｔｏ  Ａｎａｌｏｇ  Ｃｏｎｖｅｒｔｅｒ）コードを入力して該ＤＡＣコードに応じたＡＧＣ電圧に変換し、該ＡＧＣ電圧をＡＧＣアンプ１０２に出力するＤ／Ａ変換器を有するＡＧＣ回路（図示しない）が含まれる。
【０００５】
上記構成の送信機には、指定電力に応じたＡＧＣコードとその温度補正コード（ＤＡＣコード）とをベースバンド処理部１０１に供給するＡＧＣ温度補正回路が設けられる。このＡＧＣ温度補正回路には、温度を検出する温度センサ１０３と、この温度センサ１０３からの温度と指定電力（送信出力）とに基づいて上記ＡＧＣコード及びその温度補正コードを演算する演算回路１０４と、この演算回路１０４による演算処理で参照すべきテーブル等を格納するメモリ１０５とが含まれる。
【０００６】
このうち、演算回路１０４は、温度センサ１０３から読み出した温度に応じて温度補正値のＤＡＣコードを算出し、算出されたＤＡＣコードを送信出力に応じたＡＧＣコードに加算してベースバンド処理部１０４に供給する。これにより、ベースバンド処理部１０１では、ＡＧＣ回路のＤ／Ａ変換器により、演算回路１０４から供給されたＡＧＣコードと温度補正値とからなるＤＡＣコードがＡＧＣ電圧にＤ／Ａ変換され、このＡＧＣ電圧がＡＧＣアンプ１０２に出力される。
【０００７】
メモリ１０５には、少なくとも指定電力をＡＧＣコードに変換する処理で用いられるＡＧＣコードテーブル１０６と、温度センサ１０３からの温度をＡＧＣコードの温度補正コードに変換する処理で用いられる温度補正テーブル１０６とが格納される。
【０００８】
図７は、温度補正テーブル１０６の一例を示す。図７に示す温度補正テーブル１０６は、各温度（図中の例では、−４０℃〜＋４０℃の範囲で１０℃）毎に出力電力の補正量（温度補正値）を対応付けたものである。このテーブル１０６で求まる温度補正値は、直接ＡＧＣコードに加算できるＤＡＣコード（図中の例では、０ｘＤ０〜０ｘ２０）として設定されている。
【０００９】
図８は、上記温度補正テーブル１０６を用いた従来例のＡＧＣ温度補正処理の処理フローチャートを示す。この処理フローチャートに示す処理は、演算回路１０４により実行される。
【００１０】
まず、演算回路１０４は、送信信号の送信出力電力が指定されると（ステップＳ１１０）、メモリ１０５のＡＧＣコードテーブル１０６を参照してその指定電力に応じたＡＧＣコードを読み出し（ステップＳ１２０）、送信出力電力に応じてＡＧＣコードの線形補間処理を行なう（ステップＳ１３０）。次いで、演算回路１０４は、温度センサ１０３から温度を取得し（ステップＳ１４０）、メモリ１０５の温度補正テーブル１０７から温度補正値（ＤＡＣコード）を読み出し（ステップＳ１５０）、温度に応じて温度補正値の線形補間処理を行なう（ステップＳ１６０）。これにより、上記で算出されたＡＧＣコードに、上記で算出された温度補正値を加算し、ＡＧＣアンプ１０２のＡＧＣ電圧にＤ／Ａ変換すべきＤＡＣコードとして、ベースバンド処理部１０１に出力する（ステップＳ１７０）。
【００１１】
上記のように従来例のＡＧＣの温度補正方法では、温度補正値を、直接ＡＧＣコードに加算できるＤＡＣコードとしてメモリに持ち、温度センサから読み出した温度に応じて温度補正値のＤＡＣコードを算出し、算出されたＤＡＣコードを、送信出力に応じたＡＧＣコードに加算して温度補正を行なっている。
【００１２】
一方、送受信機で用いるＡＧＣ温度補正の関連技術に関しては、例えば周囲温度変動に依存したＡＧＣ電圧を発生する周囲温度依存型のＡＧＣ電圧発生回路を備え、該ＡＧＣ電圧によりＡＧＣ増幅段の利得を可変し、これにより周囲温度の変動に係わらず送信信号の電力レベルが一定になるように増幅利得を温度補償する送受信機（例えば、特許文献１参照）や、温度センサが検出した温度に対応した補正係数を用いて、ＡＧＣアンプの利得を制御する制御信号を補正するディジタル無線受信機（例えば、特許文献２参照）等が知られている。
【００１３】
【特許文献１】
特開平６−３３４５６１号公報
【特許文献２】
特開２００２−１６４７５８号公報
【００１４】
【発明が解決しようとする課題】
しかしながら、従来の温度補正テーブルを用いたＡＧＣの温度補正方法においては、指定された電力によって、１ＤＡＣコード当たりの電力変化量が異なるため、同じＤＡＣコードを用いて補正すると、精確に補正できないという問題があった。
【００１５】
例を挙げると、温度が＋４０℃のときの温度補正値が「０ｘ２０」というＤＡＣコードであった場合、従来のＡＧＣ温度補正方法では、指定電力が＋２０ｄＢｍのときでも、−３０ｄＢｍのときでも、ＡＧＣコードに加算されるＤＡＣコードは同じである。しかし、１ＤＡＣコード当たりの電力の変化量については、指定電力が＋２０ｄＢｍでは０．１ｄＢであるのに対し、指定電力が−３０ｄＢｍでは０．２ｄＢであり、指定電力によって異なる。
【００１６】
従って、同じ「０ｘ２０」というＤＡＣコードによる補正量については、指定電力が＋２０ｄＢｍのときに３．２ｄＢであるのに対し、指定電力が−３０ｄＢｍのときに６．４ｄＢになる。すなわち、指定電力が−３０ｄＢｍと−３０ｄＢｍでは、温度補正量に３．２ｄＢもの差が生じてしまう。このことにより、仮に温度補正が指定電力が＋２０ｄＢｍのときに精確に補正されるように温度補正値のＤＡＣコードを決定した場合、指定電力が−３０ｄＢｍのときに３．２ｄＢの誤差が生じることになる。
【００１７】
また、上記関連技術は既に知られているが、特許文献１は、ＡＧＣコード（ＤＡＣ）から変換、生成されたＡＧＣ電圧によりＡＧＣアンプの利得を制御する構成ではない。また。特許文献２は、Ｄ／Ａを介してＡＧＣアンプに与える制御信号に関し、基準温度の制御データに対する温度係数データテーブルから、温度センサで検出した温度に対応した補正係数データを求め、この補正係数データを上記ＡＧＣアンプの利得制御信号に乗算することで該制御信号を補正するものであり、上記のように指定電力によって１ＤＡＣコード当たりの電力変化量が異なるために生じる温度補正値の誤差に関する問題を解消するものではない。
【００１８】
本発明の目的は、ＡＧＣの温度補正において、送信出力として指定された電力がいくつであっても、精度の高い温度補正を行なうことにある。
【００１９】
【課題を解決するための手段】
上記目的を達成するため、本発明は、携帯電話等のＡＧＣ回路の温度補正方法において、ＡＧＣの温度補正量を変換するテーブルと指定電力毎の１ＤＡＣコード当たりの変化量を変換するテーブルとを互いに別のテーブルとして持ち、これにより各指定電力毎に温度補正の際の誤差を吸収し、より精確に温度補正が行なわれるようにしている。また、各指定電力毎の温度補正コードを温度補正量と１ＤＡＣコード当たりの変化量との計算によって求めるものである。
【００２０】
本発明は、このような着想のもとに完成されたものである。
【００２１】
すなわち、本発明に係るＡＧＣの温度補正方法は、ＡＧＣアンプの利得をその指定された出力電力に応じたＤＡＣコードから変換される制御電圧により制御するＡＧＣ回路における該ＤＡＣコードの値を、温度センサで得られる温度データに基づいて補正する構成において、前記温度データから前記ＤＡＣコードに対する温度補正量に関するパラメータに変換するための第１の変換テーブルと、前記出力電力から１ＤＡＣコード当たりの電力変化量に関するパラメータに変換するための第２の変換テーブルとを予め保持するステップと、前記第１の変換テーブルを参照して前記温度データから前記温度補正量に関するパラメータを決定するステップと、前記第２の変換テーブルを参照して前記出力電力から前記１ＤＡＣコード当たりの電力変化量に関するパラメータを決定するステップと、決定された前記温度補正量に関するパラメータと前記１ＤＡＣコード当たりの電力変化量に関するパラメータとに基づいて前記出力電力毎の温度補正量を算出するステップと、算出された前記出力電力毎の温度補正量を該出力電力に応じたＤＡＣコードの温度補正用ＤＡＣコードとして前記ＡＧＣ回路に供給するステップとを有することを特徴とする。
【００２２】
本発明において、前記温度補正量に関するパラメータは、温度毎の出力補正量であり、前記１ＤＡＣコード当たりの電力変化量に関するパラメータは、前記出力電力毎のＤＡＣコードの変化量であり、前記出力電力毎の温度補正量を算出するステップは、前記温度毎の出力補正量と前記出力電力毎のＤＡＣコードの変化量とを用いて該出力電力毎の温度補正量を計算してもよい。
【００２３】
本発明において、前記温度補正量に関するパラメータは、温度毎のＤＡＣコードであり、前記１ＤＡＣコード当たりの電力変化量に関するパラメータは、電力オフセット補正量に対応するＤＡＣコードであり、前記出力電力毎の温度補正量を算出するステップは、前記電力オフセット補正量に対応するＤＡＣコードと前記温度毎のＤＡＣコードとを用いて該出力電力毎の温度補正量を計算してもよい。
【００２４】
また、本発明に係るＡＧＣの温度補正装置は、ＡＧＣアンプの利得をその指定された出力電力に応じたＤＡＣコードから変換される制御電圧により制御するＡＧＣ回路における該ＤＡＣコードの値を、温度センサで得られる温度データに基づいて補正する構成において、前記温度データから前記ＤＡＣコードに対する温度補正量に関するパラメータに変換するための第１の変換テーブルと、前記出力電力から１ＤＡＣコード当たりの電力変化量に関するパラメータに変換するための第２の変換テーブルと、前記第１の変換テーブルを参照して前記温度データから前記温度補正量に関するパラメータを決定し、前記第２の変換テーブルを参照して前記出力電力から前記１ＤＡＣコード当たりのの電力変化量に関するパラメータを決定し、決定された前記温度補正量に関するパラメータと前記１ＤＡＣコード当たりの電力変化量に関するパラメータとに基づいて前記出力電力毎の温度補正量を算出し、該出力電力毎の温度補正量を前記出力電力に応じたＤＡＣコードの温度補正用ＤＡＣコードとして前記ＡＧＣ回路に供給する演算手段とを有することを特徴とする。
【００２５】
本発明において、前記温度補正量に関するパラメータは、温度毎の出力補正量であり、前記１ＤＡＣコード当たりの電力変化量に関するパラメータは、前記出力電力毎のＤＡＣコードの変化量であり、前記演算手段は、前記温度毎の出力補正量と前記出力電力毎のＤＡＣコードの変化量とを用いて該出力電力毎の温度補正量を計算してもよい。
【００２６】
本発明において、前記温度補正量に関するパラメータは、温度毎のＤＡＣコードであり、前記１ＤＡＣコード当たりの電力変化量に関するパラメータは、電力オフセット補正量に対応するＤＡＣコードであり、前記演算手段は、前記電力オフセット補正量に対応するＤＡＣコードと前記温度毎のＤＡＣコードとを用いて該出力電力毎の温度補正量を計算してもよい。
【００２７】
本発明に係る通信端末は、上記ＡＧＣの温度補正装置と、前記ＡＧＣ回路を有し且つ通信データのベースバンド信号を生成するベースバンド処理部と、前記ＡＧＣアンプを有し且つ該ＡＧＣアンプを介し前記ベースバンド信号で変調された送信信号を前記出力電力で送信する送信部とを有することを特徴とする。
【００２８】
本発明に係る携帯電話機は、上記ＡＧＣの温度補正装置と、前記ＡＧＣ回路を有し且つ通信データのベースバンド信号を生成するベースバンド処理部と、前記ＡＧＣアンプを有し且つ該ＡＧＣアンプを介し前記ベースバンド信号で変調された送信信号を前記出力電力で送信する送信部とを有することを特徴とする。
【００２９】
【発明の実施の形態】
以下、本発明に係るＡＧＣの温度補正方法、その温度補正装置、これを用いた通信端末、及び携帯電話機の実施の形態を図１〜図５を参照して説明する。
【００３０】
図１は、本発明の一実施形態としてのＡＧＣの温度補正方法を用いた通信端末の回路構成の主要部を示す。この通信端末は、例えば携帯電話機、ＰＨＳ（パーソナル・ハンディホン・システム）、ＰＤＡ（パーソナル・デジタル・アシスタント）等の携帯用端末や、ＰＣ（パーソナルコンピュータ）等の情報処理装置に一体又は別体に搭載される無線通信用インターフェース等、ＡＧＣ回路の温度補正を行なうものであれば、いずれでも適用可能である。
【００３１】
図１に示す通信端末には、送信すべき音声信号等の符号化されたデータや各種制御信号等の通信データのベースバンド信号を生成するベースバンド処理部１０と、該ベースバンド信号により搬送波の中間周波信号（ＩＦ信号）を変調し、該ＩＦ信号をＲＦ信号に変換し、該ＲＦ信号を所定の送信出力でアンテナ３０を介し無線電波として送信する送信部２０が搭載される。
【００３２】
このうち、送信部２０には、ベースバンド処理部１０からの制御電圧（ＡＧＣ電圧）に基づいてＲＦ信号をその指定電力（送信出力）レベルに増幅するＡＧＣアンプ２１が含まれる。また、ベースバンド処理部１０には、後述する指定電力に応じたＡＧＣコードとその温度補正コードとから成るＤＡＣ（Ｄｉｇｉｔａｌ  ｔｏ  Ａｎａｌｏｇ  Ｃｏｎｖｅｒｔｅｒ）コードを入力して該ＤＡＣコードに応じたＡＧＣ電圧に変換し、該ＡＧＣ電圧をＡＧＣアンプ１０２に出力するＤ／Ａ変換器を有するＡＧＣ回路（図示しない）が含まれる。なお、ＡＧＣ回路を含むベースバンド処理部１０及びＡＧＣアンプ２１を含む送信部２０の回路構成は、当業者にとってよく知られている既知構成をそのまま使用することができる。
【００３３】
上記構成の送信機には、指定電力に応じたＡＧＣコード（ＤＡＣコード）とその温度補正コード（ＤＡＣコード）とをベースバンド処理部１０のＡＧＣ回路に供給するＡＧＣ温度補正回路（本発明のＡＧＣ温度補正装置）が設けられる。このＡＧＣ温度補正回路には、温度を検出する温度センサ４０と、送信信号の送信出力（電力）を指定する送信出力指定部５０と、この温度センサ４０からの温度と送信出力指定部５０からの指定電力とに基づいて上記ＡＧＣコード及びその温度補正コードを演算する演算回路（本発明の演算手段）６０と、この演算回路６０による演算処理で参照すべきテーブル等を格納するメモリ７０とが含まれる。
【００３４】
メモリ７０には、少なくとも指定電力をＡＧＣコードに変換する処理で用いられるＡＧＣコードテーブル７１のほか、ＡＧＣコードの温度補正コード（ＤＡＣコード）を生成する処理で用いられる変換テーブルとして、指定電力と１ＤＡＣコード当たりの電力変化量の変換テーブル（本発明の第２の変換テーブル）としての電力変化量テーブル（出力電力−ＤＡＣの出力変化量変換テーブル）７２と、温度とその温度補正値である出力補正量の変換テーブル（本発明の第１の変換テーブル）としての温度補正テーブル７３とが格納される。
【００３５】
図２は、メモリ７０内の電力変化量テーブル７２の一例を示す。図２に示す電力変化量テーブル７２は、送信出力電力（図中の例では、−４０ｄＢｍ〜＋２０ｄＢｍの範囲で１０ｄＢ）毎に、１ＤＡＣコード当たりの電力変化量に関するパラメータとして、ＤＡＣコードの変化量Δｐ（図中の例では、０．２２ｄＢ〜０．１ｄＢ）を変換可能に対応付けたものである。
【００３６】
図３は、メモリ７０内の温度補正テーブル７３の一例を示す。図３に示す温度補正テーブル７３は、各温度（図中の例では、−４０℃〜＋４０℃の範囲で１０℃）毎に、温度補正量に関するパラメータとして、温度補正値の出力補正量（図中の例では、−１．５ｄＢ〜＋１．５ｄＢ）を変換可能に対応付けたものである。
【００３７】
演算回路６０は、例えばプログラム制御で動作するマイクロコンピュータで構成され、プロセッサ（ＣＰＵ）が予め設定されたプログラムの命令を実行することにより、所定の演算処理を行なう。例えば、この演算回路６０は、送信出力指定部５０からの指定電力と、温度センサ４０からの温度データとを入力すると、メモリ７０内のＡＧＣコードテーブル７１を参照して該指定電力に応じたＡＧＣコードを算出すると共に、メモリ７０内の電力変化量テーブル７２から指定電力に応じた１ＤＡＣコードの変化量Δｐ（ｄＢ単位）と、温度補正テーブル７３から温度データに応じた出力補正量（ｄＢ単位）とをそれぞれ読み出して算出し、該出力補正量を該ＤＡＣの電力変化量Δｐで割る演算処理を実行することにより、指定電力で温度補正を行なうための指定電力毎の温度補正コード（ＤＡＣコード）を算出し、その温度補正コードをＡＧＣコードに加算してベースバンド処理部１０に出力する。
【００３８】
これにより、ベースバンド処理部１０は、温度補正コードが加算されたＡＧＣコードからＤ／Ａ変換によってＡＧＣ電圧値（制御電圧値）に変換し、そのＡＧＣ電圧値をＡＧＣアンプ２１に出力することにより、ＡＧＣアンプ２１の利得を制御する。
【００３９】
図４は、上記電力変化量テーブル７２と温度補正テーブル７３を用いたＡＧＣ温度補正処理の処理フローチャートを示す。この処理フローチャートに示す処理は、演算回路１０により実行される。
【００４０】
まず、演算回路１０は、送信出力指定部５０から送信出力電力が指定されると（ステップＳ１０）、メモリ７０のＡＧＣコードテーブル７１を参照して指定電力に応じたＡＧＣコードを読み出し（ステップＳ２０）、送信出力電力に応じてＡＧＣコードの線形補間処理を行なう（ステップＳ３０）。
【００４１】
次いで、演算回路６０は、温度センサ４０から温度データを取得し（ステップＳ４０）、メモリ７０内の電力変化量テーブル（出力電力−ＤＡＣの出力変化量変換テーブル）７２を参照して、送信出力電力に応じて１ＤＡＣコード当たりの出力変化量Δｐを読み出し（ステップＳ５０）、メモリ７０内の温度補正テーブル７３を参照して、取得された温度データに応じた温度補正値である出力補正量（ｄＢ単位）を読み出し（ステップＳ６０）、温度データに応じて温度補正値の線形補間処理を行なう（ステップＳ７０）。
【００４２】
これにより、得られた温度補正値（出力補正量）を、１ＤＡＣコード当たりの出力変化量Δｐで割る演算処理により、温度補正コード（ＤＡＣコード）を算出し、この温度補正コードを、上記ＡＧＣコードに加算し、ＡＧＣアンプ２１のＡＧＣ電圧にＤ／Ａ変換すべきＤＡＣコードとして、ベースバンド処理部１０に出力する（ステップＳ９０）。
【００４３】
従って、本実施形態によれば、温度補正値を出力補正量（ｄＢ単位）として持ち、指定電力と１ＤＡＣコードあたりの電力変化量の変換テーブルをあわせもつことにより、指定された電力毎にＡＧＣコードに加算される補正コード量を計算しているので、指定電力毎の温度補正による電力の誤差を少なくすることができる。
【００４４】
また、温度補正テーブルと１ＤＡＣコード当りの変化量を別テーブルとして持っているので、ある温度で指定電力毎の１ＤＡＣコード当りの変化量テーブルのパラメータを決定し、その上で温度補正テーブルのパラメータを決定することができるため、比較的パラメータを決定する過程を容易にできる。
【００４５】
次に、本発明の他の実施形態を説明する。本実施形態に係るＡＧＣ温度補正回路を含む送信機は、図８に示すように、その基本的構成は上記実施形態と同様の構成、すなわちベースバンド処理部１０、ＡＧＣアンプを有する送信部２０、温度センサ４０、演算回路６０、及びメモリ７０を有するが、そのうちメモリ７０内の温度補正テーブル（第１の変換テーブル）及び電力変化量テーブル（第２の変換テーブル）の内容を置き換えている点が相違する。
【００４６】
すなわち、温度補正テーブル７５は、温度毎に変換すべき温度補正量に関するパラメータとして、従来例と同じＤＡＣコードを用いた温度補正テーブル（図６の温度補正テーブル１０７参照）であり、電力変化量テーブル７４は、１ＤＡＣコード当たりの電力変化量に関するパラメータとして、温度補正テーブル７５の値で温度補正された値（ＤＡＣコード）を、さらに指定電力に応じて補正するための指定電力毎のオフセット補正量（ＤＡＣコード）に変換可能に対応付けたものである。この場合の送信出力に応じたＤＡＣコードに加算すべき温度補正用ＤＡＣコードは、温度補正テーブル７５から得られる温度に応じたＤＡＣコードと、電力変化量テーブル７４から得られる指定電力毎のオフセット補正量に相当するＤＡＣコードとを用いて算出されるものである。
【００４７】
従って、本実施形態によれば、上記と同様の効果に加え、さらに温度補正テーブルは従来のものをそのまま使用することができるため、従来のソフトウェアのリソースの流用が比較的容易であるといった利点もある。
【００４８】
なお、上記実施形態ではＡＧＣの温度補正方法を通信端末の送信機側に適用したが、応用例として受信機側のＡＧＣ回路の温度補正にも適用可能である。
【００４９】
なお、本発明は、代表的に例示した上述の実施形態に限定されるものではなく、当業者であれば、特許請求の範囲の記載内容に基づき、その要旨を逸脱しない範囲内で種々の態様に変形、変更することができる。これらの変更例や変形例も本発明の権利範囲に属するものである。
【００５０】
【発明の効果】
以上説明したように、本発明によれば、指定電力毎の１ＤＡＣコードの変化量をもとに温度補正のＤＡＣコードを決定しているので、従来、指定電力毎に出力電力に生じていた誤差を少なくすることができる。
【図面の簡単な説明】
【図１】本発明の実施形態によるＡＧＣの温度補正方法を用いた通信端末の全体構成を示す概略ブロック図。
【図２】本発明の実施形態による電力変化量テーブルを示す図。
【図３】本発明の実施形態による温度補正テーブルを説明する図。
【図４】本発明の実施形態によるＡＧＣの温度補正処理を説明する概略フローチャート。
【図５】本発明の他の実施形態によるＡＧＣの温度補正方法を用いた通信端末の全体構成を示す概略ブロック図。
【図６】従来例のＡＧＣの温度補正方法を用いた送信機の全体構成を示す概略ブロック図。
【図７】従来例の温度補正テーブルを説明する図。
【図８】従来例のＡＧＣの温度補正処理を説明する概略フローチャート。
【符号の説明】
１０  ベースバンド処理部
２０  送信部
３０  アンテナ
４０  温度センサ
５０  送信出力指定部
６０  演算回路
７０  メモリ
７１  ＡＧＣコードテーブル
７２  電力変化量テーブル（ｄＢ単位）
７３  温度補正テーブル（出力補正量：ｄＢ単位）
７４  電力補正量テーブル（オフセットＤＡＣコード）
７５  温度補正テーブル（ＤＡＣコード）
【図１】
2004336359.tif 000003
【図２】
2004336359.tif 000004
【図３】
2004336359.tif 000005
【図４】
2004336359.tif 000006
【図５】
2004336359.tif 000007
【図６】
2004336359.tif 000008
【図７】
2004336359.tif 000009
【図８】
2004336359.tif 000010